(57)【特許請求の範囲】
【請求項１】
建物の床、天井または壁を構成する構造体の面材取着領域のうちの一部に定められた配管パネルセット用スペースを除いた面材取着領域に、面材を取付けて、前記配管パネルセット用スペースに配管パネルをセットする際、この配管パネルに予め配管類を設置して、該配管パネルを構成する床面材に設けられた孔から、各種設備と接続可能となるように、該配管類が立ち上げられていることを特徴とする配管類設置構造。
【請求項２】
建物ユニットの床、天井または壁を構成する構造体の面材取着領域のうちの一部に定められた配管パネルセット用スペースを除いた面材取着領域に、面材を取付けて、前記配管パネルセット用スペースに配管パネルをセットする際、この配管パネルに予め配管類を設置して、該配管パネルを構成する床面材に設けられた孔から、各種設備と接続可能となるように、該配管類が立ち上げられていることを特徴とする配管類設置構造。
【請求項３】
配管パネルが構造材に面材を取着してなり、配管類をこの面材の裏側に配管類を配置して構造材に固定してなる請求項１または２記載の配管類設置構造。
【請求項４】
請求項１〜３のいずれかに記載の配管パネルを用いる配管類設置方法であって、前記構造体の面材取着領域のうちの一部を配管パネルセット用スペースとして定め、この配管パネルセット用スペースを除いた構造体の面材取着領域に面材を取着した状態で、前記配管パネルセット用スペースに配管パネルをセットすることを特徴とする配管類設置方法。
【請求項５】
建物ユニットの組立て工程内で、建物ユニットの床の一部に請求項１〜３のいずれかに記載の配管パネルを床の上方から組込み、次工程に移行する工程を有することを特徴とする建物ユニットの組立て方法。
【請求項６】
配管パネルの組込みに先立って、配管パネル組込み用スペースが用意されて組立てられた床フレームを建物ユニットの床部に組込むことを特徴とする請求項５記載の建物ユニットの組立て方法。
【発明の詳細な説明】
【０００１】
【発明の属する技術分野】
本発明は、給水管，給湯管，ガス管，排水管等の配管，電気配線等の配線等を含む配管類設置構造および配管類設置方法ならびに建物ユニットの組立て方法に関する。
【０００２】
【従来の技術】
従来、ユニット建物のための配管設置構造として、たとえば特許第２５７９７０６号公報において、建物ユニットの上面または下面に沿って設備配管ユニットを配置し、この設備配管ユニットに配管類を収容した構造のものがある。
【０００３】
【発明が解決しようとする課題】
しかしながら、上記従来の配管設置構造には以下の問題点がある。
（１）設備配管ユニットは建物ユニットの構造体とは別体であり、たとえば下階建物ユニットの天井構造体と上階建物ユニットの床構造体の間に設置される。
従って、設備配管ユニットは、建物の構造強度的には余剰部分であり、かつ、建物の天井高をそのユニット厚み分だけ減縮する等、建物の構造上の合理性を損なうことになる。
【０００４】
（２）設備配管ユニットは、建物ユニットの上面または下面に沿う大サイズ，大重量をなし、建築現場でクレーン等により単独で吊り上げられて設置されるものであり、据付性も悪い。
【０００５】
（３）設備配管ユニットは、前述のとおり、たとえば下階建物ユニットの天井構造体と上階建物ユニットの床構造体の間に挟まれて設置されるものであり、ユニット建物ではない一般建物への導入に困難がある。
【０００６】
本発明の目的は、ユニット建物などの建物において配管類を簡易、かつ、合理的に設置することにある。
【０００７】
【課題を解決するための手段】
請求項１に記載の本発明は、建物の床、天井または壁を構成する構造体の面材取着領域のうちの一部に定められた配管パネルセット用スペースを除いた面材取着領域に、面材を取付けて、前記配管パネルセット用スペースに配管パネルをセットする際、この配管パネルに予め配管類を設置して、該配管パネルを構成する床面材に設けられた孔から、各種設備と接続可能となるように、該配管類が立ち上げられている配管類設置構造である。
【０００８】
請求項２に記載の本発明は、建物ユニットの床、天井または壁を構成する構造体の面材取着領域のうちの一部に定められた配管パネルセット用スペースを除いた面材取着領域に、面材を取付けて、前記配管パネルセット用スペースに配管パネルをセットする際、この配管パネルに予め配管類を設置して、該配管パネルを構成する床面材に設けられた孔から、各種設備と接続可能となるように、該配管類が立ち上げられていることを特徴とする配管類設置構造。
【０００９】
請求項３記載の本発明は、請求項１または２記載の本発明の配管類設置構造において、配管パネルが構造材に面材を取着してなり、配管類をこの面材の裏側に配管類を配置して構造材に固定してなるものである。
【００１０】
請求項４記載の本発明は、請求項１〜３のいずれかに記載の配管パネルを用いる配管類設置方法であって、前記構造体の面材取着領域のうちの一部を配管パネルセット用スペースとして定め、この配管パネルセット用スペースを除いた構造体の面材取着領域に面材を取着した状態で、前記配管パネルセット用スペースに配管パネルをセットする配管類設置方法である。
【００１１】
請求項５記載の本発明は、建物ユニットの組立て工程内で、建物ユニットの床の一部に請求項１〜３のいずれかに記載の配管パネルを床の上方から組込み、次工程に移行する工程を有する建物ユニットの組立て方法である。
【００１２】
請求項６記載の本発明は、請求項５記載の本発明の建物ユニットの組立て方法において、配管パネルの組込みに先立って、配管パネル組込み用スペースが用意されて組立てられた床フレームを建物ユニットの床部に組込む組立て方法である。
【００１３】
（作用）請求項１、２記載の本発明によれば下記（１）〜（５）の作用がある。
（１）配管パネルは予め配管類を設置されているから、建物ユニット等の床、天井または壁を構成する構造体の一部にセットされることで、それらの床、天井または壁の内部への配管類の配置固定を完了させることができる。
【００１４】
（２）配管パネルは、建物ユニットなどの床、天井または壁を構成する構造体の一部にセットされる。従って、配管パネルは、建物ユニットなどの本来的構造要素であるそれらの構造体の一部を構成するものであるから、構造強度的な余剰部分でなく、また、建物の天井高などを減縮する要素にもならず、建物の構造上の合理性を損なうことがない。
【００１５】
（３）配管パネルは、床、天井または壁を構成する構造体の一部にセットされて用いられるものであり、建物ユニットに限らず、ユニット建物でない一般建物への導入も容易である。
【００１６】
（４）配管パネルは、床、天井または壁を構成する構造体の一部にセットされるものであって、小サイズ，軽量化でき、建物ユニットなどのそれらの構造体への組付性は良い。また、ユニット建物の建築現場では、配管パネルを組付けた建物ユニットの据付け以外に、配管パネルを単独で組付ける必要がなく、建築現場での据付性も良い。
【００１７】
（５）建物ユニットの床、天井または壁などの構造体に配管パネルをセットすることで配管類を納めることができ、建物ユニットの工場生産ラインで、建物ユニットの内部から簡易に配管類を設置できる。
建物ユニットなどの床、天井または壁を構成する構造体において、配管パネルセット用スペースを除く面材取着領域に面材を取着した状態で、配管パネルセット用スペースに配管パネルをセットする。従って、作業者は、床面材などの面材の上に立つ安定した下向き姿勢で、配管類の配置、固定を行なうことができ、床下作業や脚立作業を伴うことなく、配管類の設置作業性を向上できる。
【００１８】
請求項３記載の本発明によれば下記（６）の作用がある。
（６）配管パネルが、構造材に面材を取着してなり、配管類を面材の裏側に置いて構造材に固定したから、配管類を強固に保持できる。
【００１９】
請求項４記載の本発明によれば下記（７）の作用がある。
（７）建物ユニットなどの床、天井または壁を構成する構造体において、配管パネルセット用スペースを除く面材取着領域に面材を取着した状態で、配管パネルセット用スペースに配管パネルをセットする。従って、作業者は、床面材などの面材の上に立つ安定した下向き姿勢で、配管類の配置、固定を行なうことができ、床下作業や脚立作業を伴うことなく、配管類の設置作業性を向上できる。
【００２０】
請求項５、６記載の本発明によれば下記（８）の作用がある。
（８）配管パネルを建物ユニットの床の上方から床の一部に組込む方法であり、作業者は床の上から配管類を組込み作業でき、建物ユニットの一連の組立工程で配管類の設置作業性を向上できる。
【００２１】
【発明の実施の形態】
以下、本発明の実施の形態を図面に基づいて説明する。
図１は建物ユニットの配管済み状態を示す斜視図、図２は建物ユニットの配管前状態を示す斜視図、図３は建物ユニットの配管パネルセット状態を示す斜視図、図４は床構造体を示す斜視図、図５は床構造体の根太取付状態を示す斜視図、図６は床構造体の断熱材取付状態と床面材を示す斜視図、図７は配管パネルの構成部材を示す斜視図、図８は配管パネルの配管取付状態を示す斜視図、図９は床構造体への配管パネルの設置過程を示し、（Ａ）は配管パネルの投入工程を示す正面図、（Ｂ）は配管の固定工程を示す正面図、（Ｃ）は床面材の取付工程を示す正面図、図１０は建物ユニットを示す要部断面図、図１１はユニット建物を示す要部断面図、図１２は相隣る建物ユニットのつなぎ部での配管接続状態を示す断面図である。
【００２２】
建物ユニット１０は、工場生産段階で、図１に示すように、床構造体１１（床フレーム）の４コーナー部に角鋼管などからなる柱１２を接合し、柱１２の上部に天井構造体１３を接合して構築される。
【００２３】
床構造体１１は、図１に示すように、２本の溝形鋼製桁床梁２１と２本の溝形鋼製妻床梁２２からなる床枠組内で、相対する桁床梁２１、２１の長手方向複数位置に角鋼管製床小梁２３を接合し、床小梁２３の上に床根太２４を取着し、床根太２４の上に床面材２５を取着することにて構成される。
【００２４】
天井構造体１３は、図１に示すように、２本の溝形鋼製桁天井梁３１と２本の溝形鋼製妻天井梁３２からなる天井枠組内で、相対する桁天井梁３１、３１の長手方向複数位置に根太３３を接合し、根太３３の下に天井面材（不図示）を取着することにて構成される。
【００２５】
そして、建物ユニット１０にあっては、工場生産段階で、図１に示すように、床構造体１１の内部の床面材２５の裏側に、洗面台４０、バスユニット５０のための配管類６０を設置するとともに、それらの洗面台４０、バスユニット５０を床面材２５の上に設置し、洗面台４０、バスユニット５０へのそれら配管類６０の接続を完了するものとしている。
【００２６】
そして、建物ユニット１０にあっては、工場生産ラインでの配管類６０の設置性を向上するため、配管パネル７０を用い、それらの配管類６０を以下の手順で設置するものである。
【００２７】
（Ａ）床構造体１１の組立
（１）床構造体１１を柱１２、天井構造体１３と接合して建物ユニット１０を構成する前または後のいずれかの段階で、床構造体１１の床面材取着領域のうちの一部を配管パネルセット用スペース２６（配管パネル組込み用スペース）として予め定めて用意する。相対する桁床梁２１、２１の中間に中間梁２１Ａを設け、一方の桁床梁２１と中間梁２１Ａとの間を配管パネルセット用スペース２６とする（図４）。中間梁２１Ａの側面に配管パネル受用木桟２１Ｂを取着しておく。
【００２８】
（２）床構造体１１の内部で、配管パネルセット用スペース２６と、バスユニット５０の設置領域を臨む床面材取着領域に床根太２４を取着する（図５）。
【００２９】
（３）床構造体１１の内部で、配管パネルセット用スペース２６を除く床面材取着領域に断熱材２７を装填する（図６）。
【００３０】
（４）床構造体１１の内部で、配管パネルセット用スペース２６と、配管中間領域２８を除く床面材取着領域に床面材２５Ａ、２５Ｂを取着する（図６、図２）。床面材２５Ｂはバスユニット５０を支持する。
【００３１】
（Ｂ）配管パネル７０の組立
（１）配管パネル７０を、床根太２４に床面材２５Ｃを取着し、相隣る床根太２４の間に断熱材２７を装填し、床根太２４の裏面に地板２９を取着して構成する（図７）。
【００３２】
（２）配管パネル７０を裏返しにして作業台等１の上に載せ、配管類６０を床面材２５Ｃの裏側で、床根太２４に地板２９を介して固定する。
【００３３】
（３）配管類６０は、給湯ヘッダ６１と給水ヘッダ６２を有し、給湯ヘッダ６１に湯供給管６１Ａ、洗面台４０への給湯管６１Ｂ、バスユニット５０への給湯管６１Ｃ、上階への給湯管６１Ｄを接続し、給水ヘッダ６２に水供給管６２Ａ、洗面台４０への給水管６２Ｂ、バスユニット５０への給水管６２Ｃ、上階への給水管６２Ｄを接続してある。
【００３４】
なお、図１では、給湯管６１Ｃ、給水管６２Ｃのそれぞれから分岐したランドリー用の給湯管６１Ｅ、給水管６２Ｅも図示してある。そして、給湯ヘッダ６１、給水ヘッダ６２は、図８に示すように、Ｕバンド６３などで床根太２４に固定され、湯供給管６１Ａ、水供給管６２Ａ等はサドルバンド６４等で床根太２４に固定され、給湯管６１Ｂ、給水管６２Ｂ等は床面材２５Ｃ、地板２９に設けた孔６５から床上に立ち上げ可能とされている。
【００３５】
（Ｃ）床構造体１１への配管パネル７０のセット
（１）床構造体１１を柱１２、天井構造体１３と接合して建物ユニット１０を構成する前または後のいずれかの段階で、床構造体１１に前述したように床面材２５Ａ、２５Ｂを取着した状態で、床構造体１１の上方から配管パネルセット用スペース２６に配管パネル７０をセットする。
【００３６】
このとき、配管パネル７０の床構造体１１への組込みに先立ち、配管パネルセット用スペース２６が用意されて組立てられた床構造体１１を建物ユニット１０の床部に組込んでおき（図２）、この床構造体１１の配管パネルセット用スペース２６に配管パネル７０を図３に示すように床の上方から組込み、次工程へと移行することができる。
【００３７】
（２）配管パネル７０の配管類６０のうち、たとえばバスユニット５０への給湯管６１Ｃ、給水管６２Ｃを床構造体１１の配管通管領域２８へ引き込む〔図９（Ａ）〕。
【００３８】
（３）配管パネル７０の床根太２４の一端を床構造体１１の桁床梁２１に、他端を床構造体１１の配管パネル受用木桟２１Ｂに預け、配管パネル７０を床構造体１１に固定するとともに、配管類６０を床小梁２３などに結束などして固定する〔図９（Ｂ）〕。
【００３９】
（４）床構造体１１の配管通管領域２８に断熱材２７、床面材２５Ｄを取着する〔図９（Ｃ）〕。
【００４０】
なお、建物ユニット１０の組立工場では、建物ユニットの本体を組立てる主ラインの他にサブラインを用意し、床構造体１１、配管パネル７０をサブラインで組立てるか、あるいは別の組立工場で組立て、この床構造体１１、配管パネル７０を主ラインの横に待機させておくのが生産効率上、作業ミスを防ぐために適している。
【００４１】
（Ｄ）建物ユニット１０への洗面台４０、バスユニット５０のセット
（１）建物ユニット１０の内部に洗面台４０、バスユニット５０を導入し、これらの洗面台４０、バスユニット５０を床構造体１１の床面材２５の上に据付ける。洗面台４０に給湯管６１Ｂ、給水管６２Ｂを接続し、バスユニット５０に給湯管６１Ｃ、給水管６２Ｃを接続する（図１０）。
【００４２】
（２）上階への給湯管６１Ｄ、給水管６２Ｄ等の配管類６０を、建物ユニット１０の床構造体１１に上述の如くにセットした配管パネル７０から壁パネル１４の内部を通し、天井構造体１３に仮固定する（図１０）。
【００４３】
なお、洗面台４０、バスユニット５０のセットは組立工場で行っても良く、建物ユニット１０の据付現場で行なっても良い。
【００４４】
上述のようにして製造された建物ユニット１０は、工場から建築現場へ輸送され、予め構築された基礎の上に据付けられてユニット建物１００を構成する。このとき、建物ユニット１０の上に搭載される上階建物ユニット１０Ａに対し、図１１に示すように、建物ユニット１０の天井構造体１３に仮固定してあった給湯管６１Ｄ、給水管６２Ｄなどの配管類６０を立ち上げて上階建物ユニット１０Ａの内部へと延在せしめ、これらの配管類６０を上階設備機器に接続する。
【００４５】
また、建物ユニット１０の横に設置される隣接建物ユニット１０Ｂに対し、図１２に示すように、両建物ユニット１０、１０Ｂに渡る湯供給管６１Ａ、水供給管６２Ａなどの配管類６０は、両建物ユニット１０、１０Ｂのたとえば妻床梁２２、２２の下部で継手７０を用いて接続される。
【００４６】
従って、本実施形態によれば、以下の作用がある。
（１）配管パネル７０は予め配管類６０を設置されているから、建物ユニット１０の床構造体１１の少なくとも一部にセットされることにより、それらの床の内部への配管類６０の配置固定を完了させることができる。
【００４７】
（２）配管パネル７０は、建物ユニット１０の床構造体１１の少なくとも一部にセットされる。従って、配管パネル７０は、建物ユニット１０の本来的構造要素であるその床構造体１１の一部もしくは全部を構成するものであるから、構造強度的な余剰部分でなく、また建物の天井高等を減縮する要素にもならず、建物の構造上の合理性を損なうことがない。
【００４８】
（３）配管パネル７０は、床構造体１１の少なくとも一部にセットされて用いられるものであり、建物ユニットに限らず、ユニット建物１００でない一般建物への導入も容易である。
【００４９】
（４）配管パネル７０は、床構造体１１の少なくとも一部にセットされるものであって小サイズ、軽量化でき、建物ユニット１０のその床構造体１１への組付性は良い。また、ユニット建物１００の建築現場では、配管パネル７０を組付けた建物ユニットの据付け以外に、配管パネル７０を単独で組付ける必要がなく、建築現場での据付性も良い。
【００５０】
（５）建物ユニット１０の床構造体１１に配管パネル７０をセットすることにて配管類６０を納めることができ、建物ユニットの工場生産ラインで、建物ユニットの内部から簡易に配管類６０を設置できる。
【００５１】
（６）配管パネル７０が、床根太２４に床面材２５Ｃを取着してなり、配管類６０を面材の裏側に置いて床根太２４に固定したから、配管類６０を強固に保持できる。
【００５２】
（７）建物ユニット１０の床構造体１１において、配管パネルセット用スペース２６を除く床面材取着領域に床面材２５を取着した状態で、この配管パネルセット用スペース２６に配管パネル７０をセットする。従って、作業者は、床面材２５の上に立つ安定した下向き姿勢で、配管類６０の配置、固定を行なうことができ、床下作業や脚立作業を伴うことなく、配管類６０の設置作業性を向上できる。
【００５３】
（８）配管パネル７０を建物ユニット１０の床の上方から床の一部に組込むものであり、作業者は床の上から配管類を組込み作業でき、建物ユニット１０の一連の組立工程で配管類６０の設置作業性を向上できる。
【００５４】
上記実施例では、建物ユニット１０を構成している床構造体１１の桁床梁２１側に配管パネルセット用スペース２６を設け、このスペース２６内に配管パネル７０を組み込んでセットするようにしたが、図１３に示すように、建物ユニット１０を構成している床構造体１１の妻床梁２２側に配管パネルセット用スペース２６を設け、このスペース２６内に配管パネル７０を組み込んでセットするようにしてもよい。なお、この場合も、上記実施例と同様に、配管パネル７０の床面材２５Ｃの上には洗面台４０が据付けられる。
【００５５】
このように、床構造体１１の妻床梁２２側に、配管パネル７０が組み込まれる配管パネルセット用スペース２６を設けることにより、例えば、建物ユニット１０の桁側に隣接して設置される隣接建物ユニット１０Ｃに対し、図１４に示すように、両建物ユニット１０、１０Ｃに渡る給湯管６１Ｃ、給水管６２Ｃなどの配管類６０を、両建物ユニット１０、１０Ｃの桁床梁２１、２１の下部で継手７０を用いて接続することができる。
【００５６】
このため、建物ユニット１０内にバスユニット５０を据付けず、この建物ユニット１０の桁側に隣接して設置される隣接建物ユニット１０Ｃ内にバスユニット５０を据付け、配管パネル７０の給湯管６１Ｃ、給水管６２Ｃをバスユニット５０に接続することができる。
【００５７】
また、この場合も、上記実施例と同様に、床構造体１１の所定部分に配管通管領域２８を設けることにより、建物ユニット１０の周りに隣接して設置される隣接建物ユニット内に据付けられる各種設備を配管パネル７０の配管類６０と接続することができる。
【００５８】
以上、本発明の実施の形態を図面により詳述したが、本発明の具体的な構成はこの実施の形態に限られるものではなく、本発明の要旨を逸脱しない範囲の設計の変更などがあっても本発明に含まれる。たとえば、本発明の実施において、配管パネルに設置される配管類は、配管に限らず、電気配線などの配線、床暖房装置や空調装置などの設備類も含む。
【００５９】
また、配管類が設置される構造体は、床構造体に限らず、天井構造体、壁構造体であっても良い。
【００６０】
また、配管類が設置される構造体は、建物ユニットや建物の構成部品（サブ組立体）としての、床パネル、天井パネル、壁パネルであっても良い。
【００６１】
また、配管類が設置される構造体は、建物ユニットを構成するものに限らず、一般の建物を構成するものであっても良い。
【００６２】
また、本発明により設置される配管類をさや管とし、さや管の内部に給水管や配線などを延在せしめることもできる。このさや管を用いた場合には、給水管や配線などの交換時に、さや管を交換する必要はなく、さや管が設置されている構造体の内部（床下など）に入ったり、それらの構造体を壊すことなく、給水管や配線などをさや管に対して出し入れすることにて交換できる。
【００６３】
【発明の効果】
以上のように本発明によれば、ユニット建物などの建物において配管類を簡易、かつ、合理的に設置することができる。
【図面の簡単な説明】
【図１】建物ユニットの配管済み状態を示す斜視図である。
【図２】建物ユニットの配管前状態を示す斜視図である。
【図３】建物ユニットの配管パネルセット状態を示す斜視図である。
【図４】床構造体を示す斜視図である。
【図５】床構造体の根太取付状態を示す斜視図である。
【図６】床構造体の断熱材取付状態と床面材を示す斜視図である。
【図７】配管パネルの構成部材を示す斜視図である。
【図８】配管パネルの配管取付状態を示す斜視図である。
【図９】床構造体への配管パネルの設置過程を示し、（Ａ）は配管パネルの投入工程を示す正面図、（Ｂ）は配管の固定工程を示す正面図、（Ｃ）は床面材の取付工程を示す正面図である。
【図１０】建物ユニットを示す要部断面図である。
【図１１】ユニット建物を示す要部断面図である。
【図１２】相隣る建物ユニットのつなぎ部での配管接続状態を示す断面図である。
【図１３】図５の床構造体の変形例を示す斜視図である。
【図１４】相隣る建物ユニットのつなぎ部での配管接続状態を示す断面図である。
【符号の説明】
１０  建物ユニット
１１  床構造体
２４  床根太（構造材）
２５、２５Ａ〜２５Ｄ  床面材
２６  配管パネルセット用スペース
６０  配管類
７０  配管パネル
【図１】
0003809054.tif 000002
【図２】
0003809054.tif 000003
【図３】
0003809054.tif 000004
【図４】
0003809054.tif 000005
【図５】
0003809054.tif 000006
【図６】
0003809054.tif 000007
【図７】
0003809054.tif 000008
【図８】
0003809054.tif 000009
【図９】
0003809054.tif 000010
【図１０】
0003809054.tif 000011
【図１１】
0003809054.tif 000012
【図１２】
0003809054.tif 000013
【図１３】
0003809054.tif 000014
【図１４】
0003809054.tif 000015